(57)【要約】【課題】水道管の水流エネルギーで駆動する送風ファンシステムの提供。【解決手段】水道管１の取り付けられた水車４は水流が流れる事により回転しの回転軸５の回転はギアーボックス６を経由し、発電機ローター１１を回転させ発電し、発電された電流、電圧は配線１５を経由し整流器１６でＤＣ変換され、ＤＣモーター１７を駆動する。ＤＣモーター駆動する事は即ち、脱臭機等、送風ファンシステムを有す機器を運転する事となる。【選択図】図２
2006077751.tif 000002
【特許請求の範囲】
【請求項１】
水道管の途中、又は出口に取り付けられ、水流により回転体を回転させ、その回転軸を直接、間接的に水道管の外に具備する送風ファンを回転させる水道水流により得られる回転エネルギーにより駆動する送風ファンを具備するシステム
【請求項２】
水道管の途中、又は出口に取り付けられ、水流により回転体を回転させ、その回転軸を直接に水道管の外に具備する送風ファンの回転軸と連結させた水道水流により回転する送風ファンを有す脱臭機
【請求項３】
水道管の途中、又は出口に取り付けられ、水流により回転体を回転させ、その回転で発電機を駆動し、直流化し、発電された直流電源でＤＣモーター使用送風ファンを回す配管組込みの脱臭機
【発明の詳細な説明】
【技術分野】
【０００１】  本発明は水道管内水流により回転体を回しこれをファンの軸に直結したり、発電機の回転軸に直結する事により直接間接に送風ファンを回し、脱臭機等、送風ファンを有す各種機器に関する。
【背景技術】
【０００２】  脱臭機、空気清浄器等送風ファンを具備する機器は、従来、家庭用、又は工業用電源で駆動する様、設計されてきた。
一方水道管内水流エネルギーの利用技術としては配管内の水流により回転体が回転する事により発電機を回転させ発電させるアイデアが有った。しかしそのアイデアはあくまで一定の安定した電圧、或いは畜電器を充電させ一定の電圧にする物、或いは方式に限られていた。
しかも、発電機での発電量はほとんどの場合、微量エネルギーである為、応用出来る分野が少なく、実際に普及するまでに至っていない。
またこの水流エネルギーの利用効率のアップ、機器の省エネルギー化の努力が成されたが、各種機器と水流エネルギーを結び付けるまでには至っていない。
【発明の開示】
【発明が解決しようとする課題】
【０００３】  以上の状況より、水道水の使用の際、水道管を流れる水流のエネルギーは排出口で捨てられており、このエネルギーを実用的な機器に利用したい事が１つの課題であるものの水流エネルギーを従来の一般家庭電源、工業用電源に変換し脱臭機、空気清浄器等送風ファンを具備する機器の駆動エネルギー源とするにはあまりに微量で限界が有り、どのようにすれば実用的な機器になり、水流エネルギーを有効に利用できるのか、その方法が求められていた。
水道管内の水流エネルギーを回転体で回転エネルギーにする事は容易であり、この回転体の軸に直接回転エネルギーのみ必要な機器に限定し、しかも回転エネルギー→発電→標準電圧化→送電→回転エネルギーの変換を回転エネルギー→回転エネルギーと直接変換し、利用を考えれば無駄を省く事が出来、従来エネルギーが微量過ぎて商品化が出来なかった物も商品化が可能となり、この具体的な方法が従来からの課題であった。【０００４】  又、従来の電気機器のように標準電圧で駆動する様設計された物でなく、電圧及び電力が大きく変動しても駆動できるように設計された機器と電圧、電力が変動して発電される発電機を直接結び付けた機器にすれば、この方法でも実用的な商品化が可能であり、これも従来からの課題であった。【０００５】  又、使い勝手の面からは、水道水を使用する台所等の場所に簡単で必要な時のみ、或いは間欠的に、しかも自動的に脱臭する機能等を有す機器の開発が望まれていた。
【課題を解決する為の手段】
【０００６】  本発明は水道管に接続する為のフランジ、又はネジが切ってあるネジ込み部を両端、又は片側に有し、水道水が流れる事により回転する水車羽根を有す。この水車羽根の軸が直接的、又は回転数をあげる為、ギアーを介し間接的に送風ファンの軸に接続される。
【０００７】  又、この水車羽根の軸を直接的、又は回転数をあげる為、ギアーを介し間接的に発電機のローター回転軸を回し、ローターが回転する事によりステ−ターに巻かれたコイルに交流電流電圧を発生させ、これをダイオードで直流化し、ＤＣモーターに電源としてＤＣモーターに接続しＤＣモーターの軸に取り付けられた送風ファンの羽根を回す。
【発明の効果】
【０００８】水道水を使用する台所等の場所に簡単で必要な時のみ、或いは間欠的に、しかも自動的に匂いを取ってくれる機能を有す機器等の開発が望まれていたが、本発明は水道水が使用されている時のみ駆動し、“必要な時のみ、或いは間欠的に、しかも自動的に“の要望を満足させ、しかも従来水道管の水流エネルギーは多くの場合、微量エネルギーである為、発電機も実用の例も充分、普及には至らなかったが、本発明のように回転体の軸に直接回転エネルギーのみ必要な機器に限定する事により、回転エネルギー→発電→標準電圧化→送電→回転エネルギーが回転エネルギー→回転エネルギーと直接利用する事により無駄を省く事が出来、従来エネルギーが微量過ぎて商品化が出来なかった物も商品化が可能となった。。
【０００９】  又、従来の電気機器のように標準電圧で駆動する様、設計された機器でなく、電圧及び電力が大きく変動しても駆動できるように設計された機器と変動する水流エネルギーで水車を回転させ発電させる発電機を介し、結び付ければ水道管内の水流エネルギーで駆動可能な商品の実用化が可能となった。
【発明を実施する為の最良の形体】
【実施例】
【００１０】以下、図１，２，３により本発明の請求項１，２，３を水道水流エネルギー利用送風ファンシステムの最良の形体である実施例の脱臭機で説明する。
図１は水道管の水流の上流側から見た水道配管に取り付けられた本発明の脱臭器構造図である。本発明の脱臭機は水車４を内部に有す水車ケーシング３から突き出た水車の回転軸５の回転をギアー６を介し、送風ファン９を回転するファン回転軸７を回転させる様に取り付けられている。このため送風ファンは風を起こし脱臭剤１０に風が通過する様ファン９及び脱臭剤１０を脱臭機ケーシング８で囲う。【００１１】図２は水車４の回転軸５の回転はギアーボックス６を経由し、発電機ローター１１を回転させ発電し、発電された電流、電圧は配線１５を経由し、ＤＣモーター１７を駆動する。モーター回転軸の回転は上記と同様、脱臭機を駆動する事となる。
図２の説明中の発電機で発電した後ＤＣモーター１７に配線で繋ぐ途中に入れる整流器１６で整流させる必要が有るが、その一つの例の回路図を図３に示す。すなわち、発電機ステーター１２に巻かれたコイルから出た交流は図３のダイオード１４の回路で整流されＤＣモーター１７に接続される。
【産業上の利用の可能性】
【００１２】  自明ゆえ説明は省略
【図面の簡単な説明】
【００１３】
【図１】断面図  本発明請求項１，２の水道水流利用ファンシステム、及び脱臭機の実施例の態様を示す断面図である。
【図２】断面図  本発明請求項１，３の水道水流利用ファンシステム、及び脱臭機の実施例の態様を示す断面図である。
【図３】回路図  本発明請求項１，３の水道水流利用ファンシステム、及び脱臭機の実用化に必要な整流回路の実施例を示す。
【符号の説明】
【０００１４】１      水道管
２      フランジ
３      水車ケーシング
４      水車
５      水車回転軸
６      ギアー
７      ファン回転軸
８      脱臭機ケーシング
９      ファン
１０    脱臭剤
１１    発電機ローター
１２    発電機ステーター
１２Ａ  発電機ステーターコイル
１３    発電機ケーシング
１４    ダイオード
１５    配線
１６    整流器
１７    ＤＣモーター
【図１】
2006077751.tif 000003
【図２】
2006077751.tif 000004
【図３】
2006077751.tif 000005